(57)【要約】【課題】任意の場所に容易に着脱し得る音響機器を提供する。【解決手段】一端側に仕切り板２２が配設されて一端が固定端に規定されると共に他端が自由端に規定されて軸線方向に沿って伸縮する柱状磁歪素子５１と、音響信号に基づく駆動電流によって柱状磁歪素子５１を伸縮させる磁界を生成する駆動コイル５４と、柱状磁歪素子５１の他端側に配設されて柱状磁歪素子５１にバイアス磁界を印加するバイアス磁石５３とを備え、バイアス磁石５３をガラス板７に接触させた状態において、バイアス磁石５３に対してガラス板７を介して磁性体８を吸着させることによってガラス板７に取り付け可能に構成されると共に柱状磁歪素子５１の伸縮に起因する振動をガラス板７に伝達可能に構成されている。【選択図】図１
2005191776.tif 000002
【特許請求の範囲】
【請求項１】
一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設されて当該柱状磁歪素子にバイアス磁界を印加する永久磁石とを備え、
前記永久磁石を振動伝達対象体に接触させた状態において、当該永久磁石に対して当該振動伝達対象体を介して磁性体を吸着させることによって当該振動伝達対象体に取り付け可能に構成されると共に前記柱状磁歪素子の伸縮に起因する振動を当該振動伝達対象体に伝達可能に構成されている音響機器。
【請求項２】
一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設された磁性体とを備え、
前記磁性体を振動伝達対象体に接触させた状態において、前記柱状磁歪素子にバイアス磁界を印加可能な永久磁石に対して当該振動伝達対象体を介して当該磁性体を吸着させることによって当該振動伝達対象体に取り付け可能に構成されると共に前記柱状磁歪素子の伸縮に起因する振動を当該振動伝達対象体に伝達可能に構成されている音響機器。
【請求項３】
一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設されて当該柱状磁歪素子にバイアス磁界を印加する永久磁石と、当該永久磁石に一方の面が接触した状態で配設された振動伝達対象体と、当該振動伝達対象体の他方の面に配設されると共に当該振動伝達対象体を介して前記永久磁石に吸着される磁性体とを備えて、前記柱状磁歪素子の伸縮に起因する振動を前記振動伝達対象体に伝達可能に構成されているスピーカ。
【請求項４】
一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設された磁性体と、前記磁性体に一方の面が接触した状態で配設された振動伝達対象体と、当該振動伝達対象体の他方の面に配設されると共に当該振動伝達対象体を介して前記磁性体を吸着し、かつ前記柱状磁歪素子にバイアス磁界を印加する永久磁石とを備えて、前記柱状磁歪素子の伸縮に起因する振動を前記振動伝達対象体に伝達可能に構成されているスピーカ。
【発明の詳細な説明】
【技術分野】
【０００１】
本発明は、磁歪素子を利用した音響機器およびスピーカに関するものである。
【背景技術】
【０００２】
この種の音響機器として、特開平９−２６１７９７号公報に開示された音響機器が知られている。この音響機器は、柱状磁歪素子と、この柱状磁歪素子を中心としてボビンに巻線された駆動コイルとを備えている。この場合、この柱状磁歪素子は、一方の端部が円板状磁性体に当接し、かつ他方の端部が磁性部材の端部に当接するようにして配設されている。また、磁性部材には、フランジが形成されており、このフランジとケースとの間に弾性部材が挿入されている。したがって、磁性部材は、この挿入されている弾性部材によって柱状磁歪素子に向けて付勢されることで、柱状磁歪素子の振動方向に沿った方向に進退自在な状態に維持されている。この結果、円板状磁性体、柱状磁歪素子および磁性部材が、柱状磁歪素子の振動を許容する状態で一体的に連結されている。
【０００３】
この音響機器では、音響信号に基づく駆動電流が供給されたときに、駆動コイルが柱状磁歪素子の軸方向に沿った向きの磁界を生成する。この際に、柱状磁歪素子は、生成された磁界が加わることで、その軸方向に伸縮する。このため、磁性部材が、柱状磁歪素子の伸縮に応じて、その軸方向に振動する。したがって、この磁性部材を振動板などの振動体に押し付けることにより、その振動が振動体に伝達されて、その振動体から音が出力される。
【０００４】
また、この種のスピーカとして、特開平１０−１４５８９２号公報に開示されたスピーカが知られている。このスピーカでは、柱状磁歪素子（超磁歪ロッド）の一方の端部が、円板状ヨークに支持されることにより、軸方向に移動不能な固定端に形成されている。また、柱状磁歪素子の他方の端部には、可動ヨークを介してアクチュエータロッドが一体的に連結されている。この場合、アクチュエータロッドは、その先端部に取付円板を介して振動板が固着されている。したがって、このスピーカでは、アクチュエータロッドの振動が振動板に伝達されて、振動板から音が出力される。
【特許文献１】特開平９−２６１７９７号公報（第３頁、第１図）
【特許文献２】特開平１０−１４５８９２号公報（第３頁、第１図）
【発明の開示】
【発明が解決しようとする課題】
【０００５】
ところが、上記の音響機器には、以下の課題がある。すなわち、この音響機器では、磁性部材を振動板に押し付けることにより、振動板から音が出力される。したがって、音を出力させるためには、人の手によって磁性部材を振動板に押し付ける方法（以下、「第１の方法」ともいう）、磁性部材を押し付けて固定するための治具を用いる方法（以下、「第２の方法」ともいう）、または、ねじや接着剤を使用して磁性部材を振動板に固定する方法（この方法では、振動板に押し付ける力として、音響機器の慣性質量を利用する。以下、「第３の方法」ともいう）などを採用することが考えられる。この場合、第１の方法には、音を出力させる間において継続して音響機器を持ち続けなければならないため、やや煩雑である。また、第２の方法には、各使用者が治具を作製するのは煩雑であり、特殊な治具を音響機器の付属品とすることは製造コストを高騰させることにもなる。また、第３の方法には、ねじや接着剤で磁性部材を振動板に固定しているため、一旦固定した後では、取付け位置の変更や他の振動板への変更が困難となる。さらに、ねじや接着剤の使用により、振動板に孔が開いたり接着剤が付着したりする。
【０００６】
一方、従来のスピーカには、以下の問題点がある。すなわち、このスピーカでは、柱状磁歪素子などが取付円板を介して振動板に固定されている。したがって、他の任意の振動板（振動伝達対象体）に変更して、異なる音質やデザイン変更を楽しむのが困難であるという問題点がある。
【０００７】
本発明は、かかる課題に鑑みてなされたものであり、任意の場所に容易に着脱し得る音響機器を提供することを主目的とする。また、任意の振動伝達対象体に容易に交換し得るスピーカを提供することを他の主目的とする。
【課題を解決するための手段】
【０００８】
上記目的を達成すべく本発明に係る音響機器は、一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設されて当該柱状磁歪素子にバイアス磁界を印加する永久磁石とを備え、前記永久磁石を振動伝達対象体に接触させた状態において、当該永久磁石に対して当該振動伝達対象体を介して磁性体を吸着させることによって当該振動伝達対象体に取り付け可能に構成されると共に前記柱状磁歪素子の伸縮に起因する振動を当該振動伝達対象体に伝達可能に構成されている。
【０００９】
また、本発明に係る音響機器は、一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設された磁性体とを備え、前記磁性体を振動伝達対象体に接触させた状態において、前記柱状磁歪素子にバイアス磁界を印加可能な永久磁石に対して当該振動伝達対象体を介して当該磁性体を吸着させることによって当該振動伝達対象体に取り付け可能に構成されると共に前記柱状磁歪素子の伸縮に起因する振動を当該振動伝達対象体に伝達可能に構成されている。
【００１０】
また、本発明に係るスピーカは、一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設されて当該柱状磁歪素子にバイアス磁界を印加する永久磁石と、当該永久磁石に一方の面が接触した状態で配設された振動伝達対象体と、当該振動伝達対象体の他方の面に配設されると共に当該振動伝達対象体を介して前記永久磁石に吸着される磁性体とを備えて、前記柱状磁歪素子の伸縮に起因する振動を前記振動伝達対象体に伝達可能に構成されている。
【００１１】
また、本発明に係るスピーカは、一端側にストッパが配設されて当該一端が固定端に規定されると共に他端が自由端に規定されて軸線方向に沿って伸縮する柱状磁歪素子と、音響信号に基づく駆動電流によって前記柱状磁歪素子を伸縮させる磁界を生成する磁界生成部と、前記柱状磁歪素子の前記他端側に配設された磁性体と、前記磁性体に一方の面が接触した状態で配設された振動伝達対象体と、当該振動伝達対象体の他方の面に配設されると共に当該振動伝達対象体を介して前記磁性体を吸着し、かつ前記柱状磁歪素子にバイアス磁界を印加する永久磁石とを備えて、前記柱状磁歪素子の伸縮に起因する振動を前記振動伝達対象体に伝達可能に構成されている。
【発明の効果】
【００１２】
本発明に係る音響機器では、柱状磁歪素子の一端側にストッパが配設されると共に柱状磁歪素子にバイアス磁界を印加する永久磁石が柱状磁歪素子の他端側に配設されている。このため、この永久磁石を振動伝達対象体に接触させた状態において、永久磁石に対して振動伝達対象体を介して磁性体を吸着させることにより、音響機器は、振動伝達対象体に固定されると共に柱状磁歪素子の伸縮に起因する振動を振動伝達対象体に伝達する。したがって、振動伝達対象体を介して音響機器の永久磁石に磁性体を吸着させるという簡単な固定方法でありながら、永久磁石と磁性体とが吸着可能な任意の場所（振動伝達対象体）に音響機器を容易に着脱することができる。
【００１３】
また、本発明に係る音響機器では、柱状磁歪素子の一端側にストッパが配設されると共に柱状磁歪素子の他端側に磁性体が配設されている。このため、この磁性体を振動伝達対象体に接触させた状態において、永久磁石に対して振動伝達対象体を介して磁性体を吸着させることにより、音響機器は、振動伝達対象体に固定されると共に柱状磁歪素子の伸縮に起因する振動を振動伝達対象体に伝達する。したがって、振動伝達対象体を介して永久磁石に音響機器の磁性体を吸着させるという簡単な固定方法でありながら、磁性体と永久磁石とが吸着可能な任意の場所（振動伝達対象体）に音響機器を容易に着脱することができる。
【００１４】
また、本発明に係るスピーカでは、柱状磁歪素子の一端側にストッパが配設されると共に柱状磁歪素子にバイアス磁界を印加する永久磁石が柱状磁歪素子の他端側に配設されている。このため、この永久磁石を振動伝達対象体に接触させた状態において、永久磁石に対して振動伝達対象体を介して磁性体を吸着させることにより、柱状磁歪素子等が振動伝達対象体に固定されると共に柱状磁歪素子の伸縮に起因する振動が振動伝達対象体に伝達される。したがって、振動伝達対象体を介して永久磁石に磁性体を吸着させるという簡単な固定方法でありながら、永久磁石が磁性体を吸着可能な任意の振動板（筐体などの振動伝達対象体）に柱状磁歪素子等を容易に固定することができる。この結果、任意の振動板に容易に交換できるため、各種の音質やデザイン変更を十分に楽しむことができる。
【００１５】
また、本発明に係るスピーカでは、柱状磁歪素子の一端側にストッパが配設されると共に柱状磁歪素子の他端側に磁性体が配設されている。このため、この磁性体を振動伝達対象体に接触させた状態において、永久磁石に対して振動伝達対象体を介して磁性体を吸着させることにより、柱状磁歪素子等が振動伝達対象体に固定されると共に柱状磁歪素子の伸縮に起因する振動が振動伝達対象体に伝達される。したがって、振動伝達対象体を介して永久磁石に磁性体を吸着させるという簡単な固定方法でありながら、永久磁石が磁性体を吸着可能な任意の振動板（筐体などの振動伝達対象体）に柱状磁歪素子等を容易に固定することができる。この結果、任意の振動板に容易に交換できるため、各種の音質やデザイン変更を十分に楽しむことができる。
【発明を実施するための最良の形態】
【００１６】
以下、添付図面を参照して、本発明に係る音響機器およびスピーカの最良の形態について説明する。
【００１７】
最初に、本発明に係る音響機器を適用したペンシル型スピーカ１の構成について、図面を参照して説明する。
【００１８】
ペンシル型スピーカ１は、図１に示すように、円筒状の筐体２、音響信号増幅部３、電源部４および振動変換部５を備え、その先端部の後述するバイアス磁石５３が振動伝達対象体としての板体などに押し付けられたときや、バイアス磁石５３が振動伝達対象体としての例えばガラス板７などを介して磁性体８を吸着しているときに音響信号を出力可能に構成されている。筐体２は、同図に示すように、それぞれ合成樹脂で形成された上部筐体２ａと下部筐体２ｂとを備えて構成され、この両筐体２ａ，２ｂの各々の端部に形成された嵌合部によって嵌合されて一体に連結されることにより、全体として細長のペンシル型に構成されている。また、上部筐体２ａには仕切り板２１が設けられており、音響信号増幅部３は、この仕切り板２１によって区画された後端部側の内部空間に収納され、電源部４は、仕切り板２１によって区画された先端部側の内部空間に収納されている。一方、下部筐体２ｂには、電源部４と振動変換部５とを区画する仕切り板２２が固定されている。
【００１９】
音響信号増幅部３は、図２に示すように、音響信号ケーブル６を介して外部から入力された音響信号を増幅して生成した駆動電流を図示しない接続ケーブルを介して駆動コイル５４に出力する。また、音響信号増幅部３は、図１に示すように、上部筐体２ａの後端部側に配設されたアンプ基板３１を備え、このアンプ基板３１には、同図に示すように、電源スイッチ３２および音響信号入力コネクタ３３が実装されている。この場合、電源スイッチ３２は、同図に示すように、切り替え操作することによってペンシル型スピーカ１の電源をオン／オフ可能なつまみ３４を備えて構成されている。また、音響信号入力コネクタ３３は、同図に示すように、外部から音響信号を入力する音響信号ケーブル６のプラグ６１を挿入可能なジャックとして構成されている。
【００２０】
電源部４は、図１，２に示すように、一例として、３本の乾電池４１，４１，４１と、仕切り板２１に固定された乾電池端子４２と、仕切り板２２に固定された乾電池端子４３とを備えて構成され、乾電池端子４２，４３に接続された接続ケーブルを介して音響信号増幅部３に電源を供給する。この場合、乾電池４１は、嵌合部を外して下部筐体２ｂと分離した状態の上部筐体２ａにおける先端部側の開口部から出し入れされる。
【００２１】
振動変換部５は、下部筐体２ｂの内部空間に配設され、図１，２に示すように、柱状磁歪素子５１、バイアス磁石５２，５３および駆動コイル５４を備えて構成されている。柱状磁歪素子５１は、軸線方向に沿った方向に磁界が加えられることによって軸線方向に伸縮して、磁界変動を機械的な振動に変換する素子として機能する。また、柱状磁歪素子５１は、一例として、磁界中において軸線方向に対して１５００ｐｐｍ以上２０００ｐｐｍ以下程度の大変位を生じるＴｂ０．３４−Ｄｙ０．６６−Ｆｅ１．９０を中心組成とする超磁歪材料で形成されている。なお、柱状磁歪素子５１における仕切り板２２側の一端が、本発明における固定端に相当し、バイアス磁石５３側の他端が、本発明における自由端に相当する。
【００２２】
バイアス磁石５２は、一例として、直径が柱状磁歪素子５１の直径とほぼ同径の円板状に形成された永久磁石であって、その一端面が柱状磁歪素子５１における上部筐体２ａ側の一端面に当接した状態で固着され、かつその他端面が仕切り板２２に当接した状態で固着されている。バイアス磁石５３（本発明における永久磁石）は、一例として、直径が筐体２の直径よりも若干大きな円板状に形成された永久磁石であって、その後端面が柱状磁歪素子５１における上部筐体２ａと反対側の他端面に当接した状態で固着されている。この場合、バイアス磁石５２，５３は、軸線方向の磁界の変動に対してほぼリニアに伸縮（振動）する動作点で柱状磁歪素子５１を作動可能にバイアス磁界を印加する。また、バイアス磁石５３は、図１に示すように、その先端面をガラス板７に接触させた状態において、ガラス板７を介して磁性体８を吸着する。したがって、バイアス磁石５３と磁性体８とでガラス板７を挟み込むことで、ペンシル型スピーカ１をガラス板７に容易に取り付ける（固定する）ことができる。なお、下部筐体２ｂには、柱状磁歪素子５１を水平に保持可能な保持部（図示せず）が形成されており、同図に示すように、柱状磁歪素子５１を破損させることなく、筐体２が水平となるようにバイアス磁石５３を固定することが可能となっている。駆動コイル５４は、本発明における磁界生成部に相当し、図１，２に示すように、その中心軸が柱状磁歪素子５１の中心軸と同軸となるようにして配設されている。また、駆動コイル５４は、図２に示すように、接続ケーブルを介して音響信号増幅部３から駆動電流を入力して、その軸線上（柱状磁歪素子５１の軸線上）に磁界を発生させる。
【００２３】
次に、ペンシル型スピーカ１の全体的な動作について説明する。
【００２４】
図１に示すように、バイアス磁石５３の先端面をガラス板７に接触させた状態において、バイアス磁石５３に対して、ガラス板７の裏面側の磁性体８をガラス板７を介して吸着させることにより、ペンシル型スピーカ１をガラス板７に取り付ける。この状態において、このペンシル型スピーカ１では、音響信号増幅部３が、音響信号ケーブル６を介して外部から入力した音響信号を増幅して駆動電流を駆動コイル５４に供給する。この際に、駆動コイル５４が、供給された駆動電流に基づいて生成した磁界を柱状磁歪素子５１に印加する。このため、柱状磁歪素子５１は、印加された磁界に応じて軸線方向に伸縮する。この際に、仕切り板２２がストッパ（つまり、ペンシル型スピーカ１の重量が慣性質量）として機能することにより、柱状磁歪素子５１の伸縮による振動が、バイアス磁石５３を介してガラス板７に伝達される。この状態では、ガラス板７が振動することによって、外部から入力した音響信号が十分に聴取可能な音としてガラス板７から出力される。
【００２５】
このように、このペンシル型スピーカ１によれば、ペンシル型スピーカ１のバイアス磁石５３に対してガラス板７を介してその裏面側の磁性体８を吸着させるという簡単な固定方法でありながら、任意の振動伝達対象体を挟んでバイアス磁石５３が磁性体８を吸着可能なその振動伝達対象体にペンシル型スピーカ１を容易に着脱することができる。
【００２６】
なお、本発明は、上記した構成に限定されない。例えば、柱状磁歪素子５１の他端側にバイアス磁石５３を配設した構成について上記したが、図３に示すペンシル型スピーカ１Ａのように、バイアス磁石５３に代えて磁性体５５を柱状磁歪素子５１の他端側に固定（配設）する構成を採用することもできる。なお、以下、ペンシル型スピーカ１の構成要素と同一の機能を有する構成要素については同一の符号を付して重複した説明を省略する。この場合、このペンシル型スピーカ１Ａでは、同図に示すように、磁性体５５の先端面をガラス板７に接触させた状態において、柱状磁歪素子５１にバイアス磁界を印加するバイアス磁石１０に対してガラス板７を介して磁性体５５を吸着させることにより、ガラス板７に取り付けられる。このペンシル型スピーカ１Ａによっても、ガラス板７を介してバイアス磁石１０に対してペンシル型スピーカ１の磁性体５５を吸着させるという簡単な固定方法でありながら、任意の振動伝達対象体を挟んでバイアス磁石１０が磁性体５５を吸着可能なその振動伝達対象体にペンシル型スピーカ１Ａを容易に着脱することができる。
【００２７】
次に、本発明に係るスピーカを適用したスピーカ１１の構成について、図面を参照して説明する。なお、以下、ペンシル型スピーカ１における構成要素と同一の機能を有する構成要素については同一の符号を付して重複した説明を省略する。
【００２８】
スピーカ１１は、図４に示すように、木質板で形成されると共に一面に開口部１２ａが形成されてペンシル型スピーカ１を収納する箱状の筐体１２と、筐体２を固定するための磁性体８とを備えて構成されている。筐体１２の開口部１２ａには、例えばベニヤ合板で形成された振動板（本発明における振動伝達対象体）１３が着脱自在に嵌め込まれており、この振動板１３と筐体１２とが相俟って共鳴箱として機能する。また、筐体１２の振動板１３に対向する背面には、音響信号ケーブル６を引き出すための挿通孔１２ｂが形成されている。
【００２９】
次に、スピーカ１１の全体的な動作について説明する。
【００３０】
最初に、筐体１２にペンシル型スピーカ１を取り付ける。具体的には、振動板１３を筐体１２から取り外して、振動板１３の一面に磁性体８を押し当てた状態において、振動板１３の他面側にペンシル型スピーカ１のバイアス磁石５３を押し付ける。この際に、バイアス磁石５３が磁性体８と共に振動板１３を挟み込んだ状態で磁性体８を吸着する。したがって、ペンシル型スピーカ１は振動板１３に取り付けられる（固定される）。次いで、ペンシル型スピーカ１を取り付けた振動板１３を筐体１２の開口部１２ａに嵌め込んだ後に、音響信号ケーブル６を挿通孔１２ｂから引き出して図外の音響機器に接続する。これにより、ペンシル型スピーカ１が筐体１２に容易に取り付けられる。
【００３１】
一方、スピーカ１１から音を出力する際には、音響信号増幅部３が、音響信号ケーブル６を介して外部から入力した音響信号を増幅して駆動電流を駆動コイル５４に供給する。この際に、駆動コイル５４が、供給された駆動電流に基づいて生成した磁界を柱状磁歪素子５１に印加する。このため、柱状磁歪素子５１は、印加された磁界に応じて軸線方向に伸縮する。この際に、仕切り板２２がストッパ（つまり、筐体２の重量が慣性質量）として機能することにより、柱状磁歪素子５１の伸縮による振動が、バイアス磁石５３を介して振動板１３に伝達される。この状態では、振動板１３が振動することによって発生した音が振動板１３から直接的に出力されると共に筐体１２によって共鳴した音が出力される。したがって、スピーカ１１から十分に聴取可能な音が出力される。
【００３２】
このように、振動板１３を介してバイアス磁石５３に磁性体８を吸着させるという簡単な固定方法でありながら、任意の振動伝達対象体（振動板１３）を挟んでバイアス磁石５３が磁性体８を吸着可能なその振動伝達対象体にペンシル型スピーカ１を容易に着脱することができる。したがって、任意の振動板１３に容易に交換できるため、各種の音質を十分に楽しむことができると共にスピーカ１１のデザイン変更を十分に楽しむこともできる。
【００３３】
また、図５に示すスピーカ１１Ａのように、上記したペンシル型スピーカ１Ａを用いて構成することもできる。このスピーカ１１Ａでは、木質板で形成されると共に一面に開口部１４ａが形成されてペンシル型スピーカ１Ａを収納する箱状の筐体１４を備えて構成されている。この場合、筐体１４が本発明における振動伝達対象体を構成する。なお、以下、スピーカ１１における構成要素と同一の機能を有する構成要素については同一の符号を付して重複した説明を省略する。
【００３４】
次に、スピーカ１１Ａの全体的な動作について説明する。
【００３５】
最初に、筐体１４にペンシル型スピーカ１Ａを取り付ける。具体的には、筐体１４の一面にバイアス磁石１０を押し当てた状態において、その一面の裏面側からペンシル型スピーカ１Ａの磁性体５５を押し付ける。この際に、バイアス磁石１０が磁性体５５と共に筐体１４の一面を挟み込んだ状態で磁性体５５を吸着する。したがって、ペンシル型スピーカ１Ａは筐体１４に取り付けられる（固定される）。次いで、挿通孔１４ａから引き出されている音響信号ケーブル６を図外の音響機器に接続する。これにより、ペンシル型スピーカ１Ａが筐体１４に容易に取り付けられる。
【００３６】
一方、スピーカ１１Ａから音を出力する際には、スピーカ１１と同様にして、音響信号増幅部３が音響信号ケーブル６を介して外部から入力した音響信号を増幅して駆動電流を駆動コイル５４に供給することにより、柱状磁歪素子５１が収縮する。この際に、この伸縮による振動が磁性体５５を介して筐体１４の一面に伝達される。この状態では、筐体１４が振動することによって発生した音が直接的に出力されると共に筐体１４によって共鳴した音も出力される。したがって、スピーカ１１Ａから十分に聴取可能な音が出力される。
【００３７】
このように、筐体１４の一面を介してバイアス磁石１０に磁性体５５を吸着させるという簡単な固定方法でありながら、任意の振動伝達対象体（筐体１４）を挟んでバイアス磁石１０が磁性体５５を吸着可能なその振動伝達対象体にペンシル型スピーカ１を容易に着脱することができる。したがって、任意の筐体１４に容易に交換できるため、各種の音質を十分に楽しむことができると共にスピーカ１１Ａのデザイン変更を十分に楽しむこともできる。
【００３８】
なお、本発明は、上記した構成に限定されない。例えば、上記したペンシル型スピーカ１，１Ａおよびスピーカ１１，１１Ａでは、筐体２の内部に乾電池４１を配設する例について説明したが、乾電池４１に代えて、電源ケーブルを介して直流電源を外部から筐体２に供給する構成や、電源ケーブルを介して供給した商用交流電源を筐体２内部で直流電源に変換する構成を採用することもできる。また、電源スイッチ３２を筐体２に配設した構成について説明したが、電源スイッチ３２を筐体２から接続ケーブルで引き出す構成を採用することもできる。
【００３９】
また、本発明における振動伝達対象体を振動板１３または筐体１４で構成したスピーカ１１，１１Ａを例に挙げて説明したが、振動伝達対象体は、これに限定されず、１枚の平板や額縁等の任意の形状で構成することができる。
【００４０】
さらに、柱状磁歪素子５１を１つ配設した構成のペンシル型スピーカ１，１Ａおよびスピーカ１１，１１Ａについて上記したが、柱状磁歪素子５１の数は１つに限定されず、複数配設することもできる。
【図面の簡単な説明】
【００４１】
【図１】ペンシル型スピーカ１の構成を示す断面図である。
【図２】ペンシル型スピーカ１（１Ａ）の電気回路を示すブロック図である。
【図３】ペンシル型スピーカ１Ａの構成を示す断面図である。
【図４】スピーカ１１の構成を示す断面図である。
【図５】スピーカ１１Ａの構成を示す断面図である。
【符号の説明】
【００４２】
１，１Ａ  ペンシル型スピーカ
１１，１１Ａ  スピーカ
７  ガラス板
８，５５  磁性体
１０，５３  バイアス磁石
１２，１４  筐体
１３  振動板
２２  仕切り板
５１  柱状磁歪素子
５４  駆動コイル
【図１】
2005191776.tif 000003
【図２】
2005191776.tif 000004
【図３】
2005191776.tif 000005
【図４】
2005191776.tif 000006
【図５】
2005191776.tif 000007